(57)【要約】【課題】この発明は、加工に適した簡易な構成を実現したうえで、簡便にして容易にハンドル交換を含む組立作業を実現し得るようにすることにある。【解決手段】駆動歯車２１に対して駆動可能に連結された連結部材２４に、軸方向に対して直交する係合孔２４４を設けて、この連結部材２４に連結されるハンドルアーム２０の基端部に連結部材２４の端部が挿通される挿通孔２０２及びピン収容部２０３を設け、このハンドルアーム２０の挿通孔２０２に挿通させた連結部材２４の係合孔２４４に係合ピン２８を挿入して、この係合ピン２８をハンドルアーム２０のピン収容部２０３に収容して回転力伝達可能に組付け配置するように構成した。【選択図】    図３
2006204140.tif 000002
【特許請求の範囲】
【請求項１】
リール本体に対して釣糸が巻回可能に配されたスプールを、前記リール本体に内装した巻取り駆動機構を介して駆動して前記釣糸を前記スプールに巻回してなる魚釣用リールのハンドルにおいて、
一端部が前記巻取り駆動機構に駆動可能に連結され、他端部に軸方向に対して直交する係合孔が設けられた回転自在に配された連結部材と、
基端部に前記連結部材の他端部が挿通される挿通孔及び該挿通孔に直交するピン収容部が設けられ、他端部に握持用摘み部が設けられたハンドルアームと、
このハンドルアームの挿通孔に挿通された前記連結部材の他端部の係合孔に挿入されて前記ハンドルアームのピン収容部に収容される係合ピンと、
を具備することを特徴とする魚釣用リールのハンドル。
【請求項２】
前記ハンドルアームの挿通孔を閉塞する閉塞部材を備えることを特徴とする請求項１記載の魚釣用リールのハンドル。
【請求項３】
前記閉塞部材を、ハンドルアームに固定すると共に、前記係合ピンを前記ハンドルアームのピン収容部に位置決め固定する固体部材を備えることを特徴とする請求項２記載の魚釣用リールのハンドル。
【発明の詳細な説明】
【技術分野】
【０００１】
この発明は、釣糸が巻回保持されるスプールをリール本体に配してなる魚釣用リールのハンドルに関する。
【背景技術】
【０００２】
一般に、魚釣用リールにおいては、リール本体にスプールを釣糸が巻回可能に配すると共に、リール本体に巻取り駆動機構を内装し、この巻取り駆動機構をリール本体の側部に配したハンドルを回転操作して駆動することにより、スプールへの釣糸の巻回を行う構成のものが知られている。
【０００３】
このような魚釣用リールに用いられるハンドルは、巻取り駆動機構の回転軸に連結される連結部材の一端部にクランク状のハンドルアームの一端部が係合ピンを介して連結され、このハンドルアームの他端には、釣り人が把持して回転操作するための握持用摘み部が設けられる。上記の係合ピンは、通常ハンドルアームの基部に穿設された孔からアーム基部の内方に位置する連結部材の孔を介して圧入される構成である。
【０００４】
ところが、上記ハンドルでは、その連結部材とハンドルアームとの連結部位となるハンドルアーム基部の孔に海水やコマセ等が付着して腐食したり、砂や粉塵が侵入したりして使用が困難となり、交換をする場合や、あるいは使用形態に応じてシングルタイプとダブルタイプとの交換や、形状の異なるものとの交換するような場合等、アッセンブリ全体の交換が必要なために、その作業が非常に面倒であるという不都合を有する。
【０００５】
そこで、最近、リールのマスターギア軸に対してハンドル軸を装着し、このハンドル軸に対してクランクアームを、ネジ部材を用いて着脱可能に構成したり（例えば、特許文献１参照）、あるいはリール本体の巻取り駆動機構に連結軸を連結配置して、この連結軸とアーム部とを接続ネジで螺着し、その連結部位をカバー部材で覆うように構成して（例えば、特許文献２参照）、ハンドル交換作業の容易化を図るようにしたハンドル構造が提案されている。
【特許文献１】特開２００１−２３１４１４号公報
【特許文献２】特開２００２−２０９４８４号公報
【発明の開示】
【発明が解決しようとする課題】
【０００６】
しかしながら、上記特許文献１のハンドルにあっては、簡便なハンドル交換を含む組立作業が可能であるが、ハンドルアーム基部には、ネジ部材を挿通するための孔が存在しており、ネジ部材及び挿通孔に海水やコマセの付着による腐食が発生したり、砂や粉塵が侵入したりして安定した操作が困難となるという問題は何ら改善されない。
【０００７】
また、特許文献２のハンドルにあっては、同様に簡便なハンドル交換を含む組立作業が可能であるうえ、連結部位の腐食の原因となる海水やコマセの付着や、砂や粉塵の侵入が防止されるものの、構成が複雑となるために、その製作加工が面倒であるという問題を有する。また、特許文献２は、カバー部材で係合ピンの挿通孔を覆う構成であるため、係合ピンを軸として回動する折畳み構造を用いることが困難である。
【０００８】
この発明は、上記事情に鑑みてなされたもので、加工に適した簡易な構成を実現したうえで、簡便にして容易にハンドル交換を含む組立作業を実現し、且つ、折畳み収納が可能なようにした魚釣用リールのハンドルを提供することを目的とする。
【課題を解決するための手段】
【０００９】
この発明は、リール本体に対して釣糸が巻回可能に配されたスプールを、前記リール本体に内装した巻取り駆動機構を介して駆動して前記釣糸を前記スプールに巻回してなる魚釣用リールのハンドルにおいて、一端部が前記巻取り駆動機構に駆動可能に連結され、他端部に軸方向に対して直交する係合孔が設けられた回転自在に配された連結部材と、基端部に前記連結部材の他端部が挿通される挿通孔及び該挿通孔に直交するピン収容部が設けられ、他端部に握持用摘み部が設けられたハンドルアームと、このハンドルアームの挿通孔に挿通された前記連結部材の他端部の係合孔に挿入されて前記ハンドルアームのピン収容部に収容される係合ピンとを備えて構成した。
【００１０】
上記構成によれば、ハンドルアームは、その挿通孔に連結部材の他端部が挿通された状態で、そのピン収容部に収容される係合ピンが前記連結部材の係合孔に挿入され、その後、この係合ピンがピン収容部に収容されることにより、連結部材に連結配置される。これにより、ハンドルアームの構成の簡略化が図れて容易な切削加工が可能となると共に、簡便にして容易なハンドル交換を含む組立て作業を実現し、且つ、折畳み収納をすることが可能となる。さらに、ハンドルアーム基部から係合ピンの挿通孔を除去できるので、海水やコマセ等による腐食及び砂や粉塵等による作動不良を解消することが可能となる。
【発明の効果】
【００１１】
以上述べたように、この発明によれば、加工に適した簡易な構成を実現したうえで、簡便にして容易にハンドル交換を含む組立作業を実現し、且つ、折畳み収納を可能とするようにした魚釣用リールのハンドルを提供することができる。
【発明を実施するための最良の形態】
【００１２】
以下、この発明の実施の形態について、図面を参照して詳細に説明する。
【００１３】
図１及び図２は、この発明の一実施の形態に係る魚釣用リールのハンドルの適用されたスピニングリールの外観構成を示すもので、リール本体１０には、脚部１１が延出して配され、この脚部１１の端部には、図示しない釣竿に取り付けられる竿取付部１２が設けられる。
【００１４】
また、リール本体１０には、ベール１３及び釣糸案内部１４を備えたロータ１５が回転自在に配され、このロータ１５の先端部には、前後方向に往復移動自在なスプール１６が同軸的に配される。上記ロータ１５は、詳細を後述する例えばシングルハンドル型のハンドルアーム２０の回転操作に連動して巻取り駆動機構を構成する図示しない回転機構を介して回転駆動される。同時に、上記スプール１６は、ハンドルアーム２０の回転操作に連動される図示しないオシレーティング機構を介して上記ロータ１５の回転軸方向に往復（前後）移動され、上記ロータ１５のベール１３及び釣糸案内部１４で案内された釣糸が略平行に巻回される。
【００１５】
なお、上記リール本体１０内には、ロータ１５の逆回転（釣糸をスプール１６から繰出す方向の回転）を防止する図示しない周知の一方向クラッチを備えた逆転防止機構が設けられ、この逆転防止機構を、例えばリール本体１０の後端壁部に設けた図示しない切換レバーを介して切換操作することにより、該ロータ１５が正逆転可能な状態と、正転可能でかつ逆転不能の状態とに切換え可能に構成される。このロータ１５がいずれの状態にあっても、上記ハンドルアーム２０を正転方向（釣糸をスプール１６に巻き取る方向の回転）に回転すると、釣糸放出位置にあるベール１３は、図示しない復帰機構を介して図１及び図２に示す釣糸巻取位置に復帰される。
【００１６】
上記リール本体１０内には、図３に示すように左右方向（スプール１６の移動方向と直交する方向）に上記スプール１６に釣糸を巻回するための巻取駆動機構を構成する駆動歯車２１が軸受２２を介して回転自在に内装される。この駆動歯車２１には、図４に示すように回転軸部２１１が上記左右方向に延出して設けられ、この回転軸部２１１には、例えば多角形形状の嵌合孔２１２が同軸的に設けられる。そして、この嵌合孔２１２には、ハンドルを構成する連結部材２４の一端部に設けられた嵌合部２４１が軸方向に移動自在に嵌合される。
【００１７】
上記連結部材２４の嵌合部２４１には、一端に螺子孔２４２が同軸的に設けられ、この螺子孔２４２には、リール本体１０の一方の側壁に設けられた貫通孔１０１を貫通して螺合操作自在に配される螺子部材２５の螺子部２５１がガタ防止部材２６を介して螺合される。これにより、連結部材２４は、螺子部材２５を回転操作して、その螺子部２５１の螺子孔２４２に対する螺合が調整されると、その嵌合部２４１が駆動歯車２１の回転軸部２１１の嵌合孔２１２に案内されて軸方向に移動され、図４に示すハンドルアーム展開位置から図５に示すハンドルアーム折り畳み位置に移動案内される。
【００１８】
また、連結部材２４の嵌合部２４１の他端には、延出部２４３が設けられ、この延出部２４３の先端部には、係合孔２４４が軸方向に対して略直交する方向に形成される。この延出部２４３は、リール本体１０の他方の側壁に近接して配したカバー部材２７内に挿通されて，該カバー部材２７の先端部より、その係合孔２４４が突出されて配される。そして、この連結部材２４の延出部２４３の係合孔２４４には、取付け用係合ピン２８の中間部が、その両端部を突出させた状態で嵌合される（図６（ａ）、（ｂ）参照）。
【００１９】
また、連結部材２４の延出部２４３の先端部には、ハンドルアーム２０の基端部が回転操作可能に組付けられる。このハンドルアーム２０には、基端部に回動案内凹部２０１が延出部２４３の先端部に対応して設けられ、この回動案内凹部２０１の底面には、挿通孔２０２が連結部材２４の延出部２４３に対応して設けられる。この挿通孔２０２の側壁には、図６に示すように例えば凹状をした一対のピン収容部２０３が上記係合ピン２８の両端部に対応して設けられ、この一対のピン収容部２０３には、上記連結部材２４の延出部２４３の係合孔２４４に挿入した係合ピン２８の両端部が収容される。
【００２０】
そして、上記挿通孔２０２の内壁には、例えば螺子部２０４が設けられ、この螺子部２０４には、閉塞部材２９の螺子部２９１が螺着されて上記ハンドルアーム２０の挿通孔２０２が閉塞される。この閉塞部材２９には、その先端部に係合部２９２が上記連結部材２４の延出部２４３の先端に対応して設けられ、ハンドルアーム２０の挿通孔２０２を閉塞した状態で、その係合部２９２が連結部材２４の延出部２４３の先端に係合されて該連結部材２４を位置規制する（図６（ａ）、（ｂ）参照）。
【００２１】
また、閉塞部材２９は、その表面に意匠表示や機能表示を施してもよい。これにより、リールとしての意匠性を高めることが可能となる。
【００２２】
さらに、閉塞部材２９は、図示しないシール材を介してハンドルアーム２０の挿通孔２０２を閉塞するように構成してもよい。これにより、厳しい環境である釣り場における防水や塵等の侵入を確実に防止することが可能となり、連結部位の効果的な腐食防止が図れる。
【００２３】
上記ハンドルアーム２０を連結部材２４に組付ける場合、該連結部材２４を図８の矢印Ｘ方向に移動させ、その延出部２４３を挿通孔２０２に挿通させて係合孔２４４を挿通孔２０２から突出させた状態で、該係合孔２４４に係合ピン２８を挿入して中間部を嵌合させ（図８（ａ）、（ｂ）参照）、その後、連結部材２４を矢印Ｙ方向に移動させ、係合ピン２８の両端部を挿通孔２０２の一対のピン収容部２０３に引き込んで挿入する（図７（ａ）、（ｂ）参照）。続いて、ハンドルアーム２０の挿通孔２０２には、閉塞部材２９が、その螺子部２９１を挿通孔２０２の螺子部２０４に螺合させて取付けられる。ここで、閉塞部材２９は、その係合部２９２が連結部材２４の延出部２４３の先端に係合される。上記の如く構成することで、連結部材２４と、ハンドルアーム２０が連結され、回転力が伝達可能な状態となる。
【００２４】
また、上記ハンドルアーム２０の他端部には、握持用摘み部２０５が操作自在に設けられ、この握持用摘み部２０５を握持して図１の矢印Ｆ方向に回転操作されると、この操作力が、連結部材２４に伝達されて該連結部材２４が軸回りに回転される。すると、連結部材２４の回転に連動して駆動歯車２１が回転され、上記巻取り駆動機構を構成する回転機構及びオシレーティング機構が駆動されて、ロータ１５が回転駆動されると共に、スプール１６が前後方向に往復移動され、ベール１３及び釣糸案内部１４で案内された釣糸がスプール１６の周壁に略平行に巻回される。
【００２５】
上記構成において、ハンドルアーム２０は、図４に示すようにリール本体１０に回転操作可能に展開された状態において、例えば釣り場まで持ち運ぶような場合、螺子部材２５を回転操作して、その螺子部２５１の連結部材２４の螺子孔２４２に対する螺合を緩める。この状態で、ハンドルアーム２０は、その回動案内凹部２０１がカバー部材２７の先端部に対して折り畳み可能に間隙が生じ、この間隙を利用して係合ピン２８を中心として図５中反時計方向に回動可能となり折り畳み収納される。ここで、上記螺子部材２５を反転させて，その螺子部２５１を連結部材２４の嵌合部２４１の螺子孔２４２に締付けることで、ハンドルアーム２０は、折り畳み位置に位置規制される。
【００２６】
このように、上記魚釣用リールのハンドルは、駆動歯車２１に対して駆動可能に連結された連結部材２４に、軸方向に対して直交する係合孔２４４を設けて、この連結部材２４に連結されるハンドルアーム２０の基端部に連結部材２４の端部が挿通される挿通孔２０２及びピン収容部２０３を設け、このハンドルアーム２０の挿通孔２０２に挿通させた連結部材２４の係合孔２４４に係合ピン２８を挿入して、この係合ピン２８をハンドルアーム２０のピン収容部２０３に収容して回転力伝達可能に組付け配置するように構成した。
【００２７】
これによれば、ハンドルアーム２０は、その挿通孔２０２に連結部材２４の延出部２４３が挿通された状態で、そのピン収容部２０３に収容される係合ピン２８を連結部材２４の係合孔２４４に挿入し、その後、この係合ピン２８をピン収容部２０３に収容させることにより、連結部材３４に連結配置される。これにより、ハンドルアーム２０の基端部を切削加工の適した簡易な構成で形成することが可能となり、容易な製作加工が実現され、しかも、簡便にして容易なハンドル交換を含む組立て作業を実現することができる。
【００２８】
また、これによれば、連結部材２４を交換することなく、ハンドルアーム２０のみを交換することで、簡便にして容易なアーム交換を含む保守点検が可能となる。さらに、ハンドルアーム基部から係合ピンの挿通孔を除去できるので、海水やコマセ等による腐食及び砂や粉塵等による作動不良を解消することが可能となる。
【００２９】
なお、上記説明では、シングルハンドル型に適用した場合で説明したが、これに限ることなく，その他、ダブルハンドル型に適用することも可能で、略同様の効果が期待される。
【００３０】
また、この発明は、上記実施の形態に限ることなく、その他、図９あるいは図１０乃至図１５に示すように構成することも可能で、同様の効果が期待される。但し，図９乃至図１２においては、上記図１乃至図８に示す実施の形態と同一部分について同一符号を付して、その詳細な説明を省略する。
【００３１】
図９に示す実施の形態では、連結部材２４の延出部２４３に螺子部２４５を設け、この螺子部２４５を上記カバー部材２７に設けた螺子孔２７１に螺合調整自在に螺合させて、カバー部材２７を回転操作して相互間の螺合を調整することにより、上記ハンドルアーム２０の折り畳み展開を可能に構成したものである。
【００３２】
また、図１０乃至図１５に示す実施の形態では、上記連結部材の延出部の先端部にダブルハンドル型のハンドルアーム３０を折り畳み展開可能に組付け配置するように構成したものである。
【００３３】
即ち、ハンドルアーム３０には、その両端部に握持用摘み部３０１がそれぞれ回転操作可能に設けられる。このハンドルアーム３０の中間部には、回動案内凹部３０２が設けられ（図１１（ａ）、（ｂ）参照）、この回動案内凹部３０２の底面には、挿通孔３０３が設けられる。この回動案内凹部３０２及び挿通孔３０３には、図１３に示すように上記連結部材２４が、その延出部２４３をハンドルアーム３０の回動案内凹部３０２を通して挿通孔３０３に挿通させて係合孔２４４を突出させた状態で、その係合孔２４４に係合ピン２８を挿入することにより、連結部材２４に組付けられる。
【００３４】
挿通孔３０３の側壁には、一対のピン収容部３０４が上記係合ピン２８の両端部に対応して設けられ、このピン収容部３０４には、連結部材２４の係合孔２４４に挿入された係合ピン２８の両端部が収容される（図１１及び図１２参照）。そして、この挿通孔３０３の一対のピン収容部３０４の側壁には、それぞれ取付け螺子孔３０５が設けられる。
【００３５】
また、挿通孔３０３の開口側には、段部３０６が閉塞部材３１に対応して設けられ、この段部３０６には、閉塞部材３１が挿着される（図１１（ａ）、（ｂ）参照）。この閉塞部材３１には、例えば２個の透孔３１１が上記ハンドルアーム３０の挿通孔３０３の取付け螺子孔３０５に対応して設けられ、この透孔３１１には、別体の固定部材である固定螺子３２が選択的に挿通される（図１２（ａ）、（ｂ）参照）。この固定螺子３２は、閉塞部材３１の透孔３１１に挿通された後、挿通孔３０３の取付け螺子孔３０５に螺合される。この状態で、固定螺子３２は、その先端部が上記連結部材２４の係合孔２４４に挿入した係合ピン２８の両端部に当接されて該係合ピン２８をピン収容部３０４内に位置決めして連結部材２４とハンドルアーム３０との連結を実行する。
【００３６】
このように、別体の固定螺子３２を用いて閉塞部材３１のハンドルアーム３０への取付け及び連結部材２４に配した係合ピン２８の位置決めを行っていることで、確実な折り畳み展開操作を実現したうえで、ハンドルアーム３０及び閉塞部材３１の形状の簡略化が図れ、その製作加工を切削工程のみでも容易に実現することが可能となり、加工製作の簡便化が図れて、加工費の軽減を図ることが可能となる。
【００３７】
上記構成において、図１０に示す展開状態において、ハンドルアーム３０を折り畳む場合には、上記螺子部材２５を回転操作して、その螺子部２５１を連結部材２４の嵌合部２４１の螺子孔２４２に対する螺合を緩めることで、図１４（ａ）、（ｂ）に示すようにカバー部材２７とハンドルアーム３０との間に間隙を形成する。ここで、ハンドルアーム３０は、その回動案内凹部３０２内において、連結部材２４の係合ピン２８回りに図１４（ｂ）中反時計方向に回動させることで、図１５（ａ）、（ｂ）に示すように折り畳み収納される。この折り畳み状態において、上記螺子部材２５を反転操作して、その螺子部２５１を連結部材２４の螺子孔２４２に締付けることで、ハンドルアーム３０が折り畳み位置で位置規制される。
【００３８】
なお、この実施の形態においては、ダブルハンドル型に適用した場合で説明したが、これに限ることなく，その他、シングルハンドル型に適用することも可能で、略同様の効果が期待される。
【００３９】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００４０】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４１】
【図１】この発明の一実施の形態に係る魚釣用リールのハンドルの外観を側面から見た状態を示した平面図である。
【図２】図１を後方から見た状態を示した平面図である。
【図３】図２のハンドルアームの要部を断面して示した断面図である。
【図４】図３のハンドル展開状態を示した断面図である。
【図５】図３のハンドル折り畳み状態を示した断面図
【図６】図３のハンドアームの連結状態を示したもので、（ａ）は連結部材の軸方向に断面した断面図、（ｂ）は、（ａ）のＡ−Ａ断面図である。
【図７】図３のハンドルアームの連結状態において閉塞部材を離脱させた状態を示すもので、（ａ）は、連結部材の軸方向に断面した断面図、（ｂ）は、（ａ）のＡ−Ａ断面図である。
【図８】図３の連結部材とハンドルアームの組付け初期状態を示すもので、（ａ）は、連結部材の軸方向に断面した断面図、（ｂ）は、（ａ）のＡ−Ａ断面図である。
【図９】この発明の他の実施の形態に係る魚釣用リールのハンドルの要部を断面して示したもので、（ａ）は、連結部材の軸方向に断面した断面図、（ｂ）は、（ａ）のＡ−Ａ断面図である。
【図１０】この発明の他の実施の形態に係る魚釣用リールのハンドルの要部を取り出して示した一部平面図である。
【図１１】図１０の要部を断面して示すもので、（ａ）は、連結部材とハンドルアームとの連結部を軸方向で断面した断面図、（ｂ）は、（ａ）のＢ−Ｂ断面図である。
【図１２】図１１から閉塞部材を離脱させた状態の断面を示し、（ａ）は、連結部材とハンドルアームとの連結部を軸方向で断面した断面図、（ｂ）は、（ａ）のＢ−Ｂ断面図である。
【図１３】図１０の連結部材にハンドルアームを組付ける状態の断面を示し、（ａ）は、連結部材とハンドルアームとの連結部を軸方向で断面した断面図、（ｂ）は、（ａ）のＢ−Ｂ断面図である。
【図１４】ハンドルアームの折畳み初期状態を示し、（ａ）は、外観を示した平面図、（ｂ）は、（ａ）のＣ−Ｃ断面図である。
【図１５】ハンドルアームの折畳み状態を示し、（ａ）は、外観を示した平面図、（ｂ）は、（ａ）のＣ−Ｃ断面図である。
【符号の説明】
【００４２】
１０…リール本体、１１…脚部、１２…竿取付部、１３…ベール、１４…釣糸案内部、１５…ロータ、１６…スプール、２０…ハンドルアーム、２０１…回動案内凹部、２０２…挿通孔、２０３…ピン収容部、２０４…螺子部、２０５…摘み部、２１…駆動歯車、２１１…回転軸部、２１２…嵌合孔、２２…軸受、２４…連結部材、２４１…嵌合部、２４２…螺子孔、２４３…延出部、２４４…係合孔、２４５…螺子部、２５…螺子部材、２５１…螺子部、２６…ガタ防止部材、２７…カバー部材、２７１…螺子孔、２８…係合ピン、２９…閉塞部材、２９１…螺子部、２９２…係合部、３０…ハンドルアーム、３０１…摘み部、３０２…回動案内凹部、３０３…挿通孔、３０４…ピン収容部、３０５…螺子孔、３１…閉塞部材、３１１…透孔、３２…固定螺子。
【図１】
2006204140.tif 000003
【図２】
2006204140.tif 000004
【図３】
2006204140.tif 000005
【図４】
2006204140.tif 000006
【図５】
2006204140.tif 000007
【図６】
2006204140.tif 000008
【図７】
2006204140.tif 000009
【図８】
2006204140.tif 000010
【図９】
2006204140.tif 000011
【図１０】
2006204140.tif 000012
【図１１】
2006204140.tif 000013
【図１２】
2006204140.tif 000014
【図１３】
2006204140.tif 000015
【図１４】
2006204140.tif 000016
【図１５】
2006204140.tif 000017